(57)【要約】  【課題】  小便器、大便器に拘わらず便器の尿石を確実に除去することができる洗浄装置を提供すること。  【解決手段】  便器３に洗浄水を供給するための供給配管４に設けられ、この供給配管４内を流れる洗浄水に尿石除去剤３０を溶解させるように構成してある。  【選択図】  図１
2005290698.tif 000002
【特許請求の範囲】
【請求項１】
便器に洗浄水を供給するための供給配管に設けられ、この供給配管内を流れる洗浄水に尿石除去剤を溶解させるように構成してあることを特徴とする洗浄装置。
【請求項２】
尿石除去剤を収容するケースを備え、上流側から内部に導入された洗浄水を前記ケース内に供給し、このケースからオーバーフローした洗浄水を下流側へと導出するように構成してある請求項１に記載の洗浄装置。
【発明の詳細な説明】
【技術分野】
【０００１】
この発明は、便器（特に水洗便器）の尿石を除去するための洗浄装置に関する。
【背景技術】
【０００２】
小便器内の尿石は配管のつまりを生じさせたり悪臭の原因となる。そこで、尿石を除去する方法として、小便器内に尿石除去剤を配置することが提案されており、種々の尿石除去剤が開発されている。
【発明の開示】
【発明が解決しようとする課題】
【０００３】
しかし、前記尿石除去剤は、大便器内に配置することができず、大便器の尿石の除去に用いることができなかった。また、小便器内に尿石除去剤を配置するだけでは尿石を充分に除去しきれず、より確実に尿石を除去することができる手段が従来より望まれていた。
【０００４】
この発明は上述の事柄に留意してなされたもので、その目的は、小便器、大便器に拘わらず便器の尿石を確実に除去することができる洗浄装置を提供することである。
【課題を解決するための手段】
【０００５】
上記目的を達成するために、この発明の洗浄装置は、便器に洗浄水を供給するための供給配管に設けられ、この供給配管内を流れる洗浄水に尿石除去剤を溶解させるように構成してあることを特徴としている（請求項１）。
【０００６】
また、尿石除去剤を収容するケースを備え、上流側から内部に導入された洗浄水を前記ケース内に供給し、このケースからオーバーフローした洗浄水を下流側へと導出するように構成してあってもよい（請求項２）。
【発明の効果】
【０００７】
請求項１および２に係る発明では、便器の内部ではなくその上流側の供給配管に取り付けられるので、小便器、大便器に拘わらず設置することができる洗浄装置が得られる。そして、この洗浄装置は、便器に供給される洗浄水に尿石除去剤を溶解させるので、便器への洗浄水の供給時に自動的に便器の尿石を除去することができる。
【発明を実施するための最良の形態】
【０００８】
図１〜図３は、この発明の第１の実施の形態を示し、図１は、この発明の第１の実施の形態に係る洗浄装置が取り付けられた小便器の構成を概略的に示す斜視図、図２は、前記小便器の要部の構成を概略的に示す縦断面図、図３は、前記洗浄装置の構成を概略的に示す説明図である。
【０００９】
図１において、１は洗浄装置、２はフラッシュバルブであり、小便器３に洗浄水を供給するための供給配管４に洗浄装置１およびフラッシュバルブ２が上流側からこの順に設けられている。
【００１０】
洗浄装置１は、前記供給配管４内を流れる洗浄水に尿石除去剤を飽和状態となるまで溶解させるように構成されている。詳しくは、図２および図３に示すように、洗浄装置１は、ベース５と、このベース５に着脱自在に取り付けられるタンク６とを備えている。
【００１１】
前記ベース５は、中空で平面視ほぼ円形状の底部７ａおよびこの底部７ａの周縁に立設された側壁７ｂを有する本体部７と、この本体部７の後端側に連設された上流側継手８と、本体部７の前端側に連設された下流側継手９とを備えている。そして、本体部７内は、隔壁１０によって上流側継手８内に連通する上流側空間１１と下流側継手９内に連通する下流側空間１２とに仕切られている。この隔壁１０の中央部分１３は前後（水平）方向に延び、中央部分１３の上側に下流側空間１２が、下側に上流側空間１１がそれぞれ位置するように構成されている。また、前記中央部分１３には貫通孔１４が形成されており、この貫通孔１４により上流側空間１１と下流側空間１２とが連通している。さらに、中央部分１３上面における貫通孔１４の周縁部には環状の突出部分１５が設けられている。また、本体部７には天井が設けられていないとともに、本体部７の側壁７ｂ上部に雌ねじ部７ｃが設けられている。
【００１２】
前記上流側継手８および下流側継手９は、いずれも本体部７の側壁７ｂ下部に連設され、また、それぞれ外周面に雄ねじ部８ａ，９ａが形成されている。そして、上流側継手８は供給配管４に接続され、下流側継手９は例えば袋ナット３３によって前記フラッシュバルブ２の上流側継手３２（図２参照）に接続されている。さらに、上流側継手８の内側には逆止弁１６が設けられている。
【００１３】
前記タンク６は、ほぼ円柱形状で中空の外ケース１７と、この外ケース１７内に設けられたほぼ円柱形状で中空の内ケース１８と、外ケース１７の底部中央および内ケース１８の底部中央を貫通し上下方向に延びる管部１９とを備えている。そして、外ケース１７の底部および側壁と内ケース１８の底部および側壁と管部１９とは一体的に形成されている。
【００１４】
前記外ケース１７は、平面視ほぼ円形状の底部およびこの底部の周縁に立設されたほぼ円筒状の側壁よりなる本体２０と、この本体２０の側壁上部に螺着されるキャップ２１とからなる。そして、外ケース１７の側壁下部には、ベース５の本体部７の雌ねじ部７ｃに螺着する雄ねじ部２２が設けられている。また、外ケース１７の底部には、その中央部を避けた位置に貫通孔２３が設けられている。
【００１５】
前記内ケース１８は、平面視ほぼ円形状の底部およびこの底部の周縁に立設されたほぼ円筒状の側壁よりなる本体２４と、この本体２４の側壁上部に螺着されるキャップ２５とからなる。そして、内ケース１８の側壁上部には、複数の貫通孔２６が設けられており、また、キャップ２５の上面には把手２７が設けられている。
【００１６】
前記管部１９は、下部が外ケース１７の下面よりも下方に突出しており、ベース５の隔壁１０に設けられた貫通孔１４を覆う状態でその周縁の突出部分１５に上方から圧接するパッキン２８が下面に設けられている。また、管部１９の上部は内ケース１８の上部にまで延びており、その上端には開口２９が形成されている。そして、この開口２９は、内ケース１８の側壁に設けられた貫通孔２６よりも高い位置にあり、かつ、キャップ２５から適宜の距離だけ離れているように構成されている。
【００１７】
また、内ケース１８内には尿石除去剤３０が収容されている。この尿石除去剤３０は、ほぼ円柱形状をしており、中央に管部１９を貫通させるための孔３１が設けられている。なお、尿石除去剤３０は通常の水洗便器に供給される洗浄水に溶解するものであればよく、種々のものを用いることができる。
【００１８】
前記フラッシュバルブ２は、図１および図２に示すように、ボタン２ａによって操作され、ボタン２ａを指等で押している間は供給配管４内を流れてきた洗浄水がフラッシュバルブ２の下流側へと流れ続け、また、ボタン２ａから指を離すと、前記洗浄水の流量が徐々に小さくなり、ボタン２ａの押し込み深さに応じた量の前記洗浄水がフラッシュバルブ２の下流側へと流れた後、その流れが自動的に止まるように構成されている。そして、図２に示すように、フラッシュバルブ２の下流側継手３４は、例えば袋ナット３５によって小便器３につながる供給配管４に接続されている。なお、前記フラッシュバルブ２は公知のものであり、そのより詳細な説明は省略する。
【００１９】
次に、供給配管４から前記洗浄装置１内に導入された洗浄水の流れについて説明すると、前記洗浄水は最初に上流側継手８から上流側空間１１内へと流れ込む。その後、洗浄水は、隔壁１０に設けられた貫通孔１４、管部１９内を通って管部１９の上端の開口２９から内ケース１８の内部に流れ込む。
【００２０】
そして、上記のように流れてきた洗浄水に、内ケース１８に収容された尿石除去剤３０が溶解し、内ケース１８内に一定量以上の洗浄水が流れ込むと、洗浄水はオーバーフローして内ケース１８の側壁に設けられた貫通孔２６から内ケース１８の外側に流出し、内ケース１８と外ケース１７との間を流れ落ちる。続いて、外ケース１７の底部に設けられた貫通孔２３を経てベース５の下流側空間１２内に至り、最後に下流側継手９からその下流側、すなわちフラッシュバルブ２へと導出される。
【００２１】
従って、上記洗浄装置１が供給配管４に取り付けられた小便器３では、洗浄装置１の内ケース１８内において尿石除去剤３０が飽和状態となるまで洗浄水に溶解し、フラッシュバルブ２のボタン２ａを操作するたびに、尿石除去剤３０の溶解した洗浄水が小便器３に供給され、これによって、小便器３における尿石の生成が防止されるとともに小便器３に固着した尿石が除去されることになる。
【００２２】
ここで、尿石除去剤３０は洗浄水への溶解によって消費されるのでその補充が必要となる。そして、この実施例の洗浄装置１は、外ケース１７のキャップ２１を取り外し、さらに、内ケース１８のキャップ２５を取り外すことにより、内ケース１８内に尿石除去剤３０を補充することができる状態となる。従って、この状態で、新しい尿石除去剤３０を内ケース１８内に落とし込めば補充は完了する。なお、この際、内ケース１８内に収容されている古い尿石除去剤３０を回収する必要はない。
【００２３】
また、上記のように尿石除去剤３０を補充する際に、キャップ２１および２５はそれぞれ螺着によって外ケース１７の本体２０および内ケース１８の本体２４に取り付けられているので、螺着するための方向とは逆方向に回転させることで取り外すことができる。そして、キャップ２５を取り外す際には、その上面に設けられた把手２７を掴んでキャップ２５を回転させることができるように構成してあるので、内ケース１８と外ケース１７との間の隙間が狭く、指を入れることができない場合でも、内ケース１８の本体２４に対するキャップ２５の着脱自在を容易に行うことができる。
【００２４】
上記の構成からなる洗浄装置１では、上流側継手８に逆止弁１６を内蔵してあるので、内ケース１８内において溶解した尿石除去剤３０を含む洗浄水が洗浄装置１の上流側に戻ることを確実に防止することができる。
【００２５】
上記実施の形態では、洗浄装置１を水洗方式の小便器３に適用しているが、このような構成に限られず、洗浄装置１を水洗方式の大便器に適用してもよい。以下、このように構成したこの発明の第２の実施の形態について説明する。
【００２６】
図４は、この発明の第２の実施の形態に係る洗浄装置１が取り付けられた大便器の構成を概略的に示す斜視図である。なお、図４において、図１〜図３に示した符号と同一符号を同一物を指す。
この図において、４０は大便器、４１はこの大便器４０に供給する洗浄水を貯留しておくための貯水タンクであり、この貯水タンク４１には洗浄水を供給するための供給配管４が接続されている。また、貯水タンク４１の外部にはレバー４２が設けられており、このレバー４２を操作すると、貯水タンク４１内の洗浄水が大便器４０へと供給されるように構成されている。さらに、貯水タンク４１は、その内部に貯留する洗浄水の水位を一定に保つためのボールタップ等よりなる水位調整機構４３を備えている。また、４４は供給配管４内を流れる洗浄水の流量を調整するための調整弁である。なお、前記水位調整機構４３および調整弁４４は公知のものであり、そのより詳細な説明は省略する。
【００２７】
そして、この実施の形態においては、洗浄装置１を前記貯水タンク４１に接続された供給配管４に設けてある。この供給配管４に取り付けられた洗浄装置１の構成は、上記第１の実施の形態に示した洗浄装置１の構成と同じであるので、その再度の説明は省略する。
【００２８】
上記洗浄装置１が供給配管４に取り付けられた大便器４０では、洗浄装置１の内ケース１８内において尿石除去剤３０が飽和状態となるまで洗浄水に溶解し、貯水タンク４１のレバー４２を操作するたびに、尿石除去剤３０の溶解した洗浄水が大便器４０に供給され、これによって、大便器４０における尿石の生成が防止されるとともに大便器４０に固着した尿石が除去されることになる。
【００２９】
上記第１の実施の形態では、供給配管４におけるフラッシュバルブ２の上流側に洗浄装置１を設けていたが、このような構成に限られず、例えば、供給配管４から分岐させた分岐配管（図示していない）を設け、この分岐配管の下流端を小便器３に接続するとともに、この分岐配管に洗浄装置１を設けてもよい。この場合、図５および図６に示すように、洗浄装置１の下流側に流量調整手段としてのバルブ４５を設けておくことが望ましい。図５および図６には、バルブ４５を洗浄装置１の下流側継手９に直接接続する例を示している。なお、前記バルブ４５は公知のものであり、その詳細な説明は省略する。
【００３０】
上記の構成によれば、洗浄装置１の内ケース１８内において尿石除去剤３０が飽和状態となるまで洗浄水に溶解し、バルブ４５を開状態にすると、洗浄装置１を経て尿石除去剤３０の溶解した洗浄水を分岐配管から小便器３へと供給することができ、バルブ４５を閉状態にすると、前記供給を止めることができる。従って、上記のように構成した場合には、バルブ４５の開閉操作を行うことにより、小便器３に尿石除去剤３０の溶解した洗浄水を任意に供給することができる。
【００３１】
また、上記分岐配管を用いる構成を第２の実施の形態に適用してもよいことは勿論である。この場合、前記分岐配管の下流端を大便器４０に接続すればよい。
【００３２】
なお、この発明は、上記の実施の形態に限られず、種々に変形して実施することができる。例えば、上記第１の実施の形態では、手動式のフラッシュバルブ２を採用しているが、このフラッシュバルブ２に代えて、赤外線センサなどを備え小便器３の使用を検知して自動的に適量の洗浄水を小便器３に流すように構成された公知の自動水洗装置を設けてもよい。
【００３３】
また、上記第１および第２の実施の形態において、外ケース１７および内ケース１８を透明または半透明な材料（樹脂等）によって形成してもよく、この場合には、内ケース１８内に収容された尿石除去剤３０を外部から目視して、尿石除去剤３０の残量を確認することができる。
【図面の簡単な説明】
【００３４】
【図１】この発明の第１の実施の形態に係る洗浄装置が取り付けられた小便器の構成を概略的に示す斜視図である。
【図２】上記第１の実施の形態における小便器の要部の構成を概略的に示す縦断面図である。
【図３】上記第１の実施の形態における洗浄装置の構成を概略的に示す説明図である。
【図４】この発明の第２の実施の形態に係る洗浄装置が取り付けられた大便器の構成を概略的に示す斜視図である。
【図５】この発明の第３の実施の形態における洗浄装置の構成を概略的に示す縦断面図である。
【図６】上記第３の実施の形態における洗浄装置の構成を概略的に示す分解縦断面図である。
【符号の説明】
【００３５】
１  洗浄装置
３  便器
４  供給配管
３０  尿石除去剤
【図１】
2005290698.tif 000003
【図２】
2005290698.tif 000004
【図３】
2005290698.tif 000005
【図４】
2005290698.tif 000006
【図５】
2005290698.tif 000007
【図６】
2005290698.tif 000008